(57)【要約】      （修正有）【課題】本に取り付けることができ、美観に優れている時計を提供する。【解決手段】時計Ｃは、本Ｂの前面側Ｂ１に設けられる針部１と、本Ｂの背面側Ｂ２に設けられ、本Ｂを貫通する穴を介して針部１に接続され、時刻を示すように針部１を回転させる時計部２と、本Ｂの背面側において時計部２を覆う蓋部３と、一端が蓋部３に固定されており、本Ｂが載置される面に他端が接する状態で蓋部３を支持する支持部４と、を備える。【選択図】図１
2020085576.tif 000002
【特許請求の範囲】
【請求項１】
本の前面側に設けられる針部と、
前記本の背面側に設けられ、前記本を貫通する穴を介して前記針部に接続され、時刻を示すように前記針部を回転させる時計部と、
前記本の背面側において前記時計部を覆う蓋部と、
一端が前記蓋部に固定されており、前記本が載置される面に他端が接する状態で前記蓋部を支持する支持部と、
を備える、時計。
【請求項２】
前記蓋部は、前記時計部の側壁を挟持可能な内寸を有する凹部を含み、前記凹部内に前記時計部の少なくとも一部を収容することによって前記時計部を固定する、請求項１に記載の時計。
【請求項３】
前記時計部は、前記本の背面側に形成されている収容部に収容され、
前記蓋部は、前記本の前記収容部の内壁と前記時計部の側壁とに接することによって、前記本の前記収容部を覆うとともに、前記時計部を前記収容部内に固定する、請求項１又は２に記載の時計。
【請求項４】
前記支持部の長さは、前記支持部の前記一端が前記蓋部に固定されている位置と前記蓋部の下端との間の距離の２倍以上である、請求項１から３のいずれか一項に記載の時計。
【請求項５】
前記支持部の長さは、前記支持部の長手方向において可変である、請求項１から４のいずれか一項に記載の時計。
【請求項６】
前記支持部は、前記支持部が前記蓋部に固定されている位置を中心に回動可能な第１部材と、前記第１部材に対して摺動可能な第２部材とを含む、請求項５に記載の時計。
【発明の詳細な説明】
【技術分野】
【０００１】
本発明は、本に取り付け可能な時計に関する。
【背景技術】
【０００２】
特許文献１には、コンパクトディスクを挟み込むように針部及び駆動部を取り付けることによって、コンパクトディスクを時計盤として利用する時計が記載されている。
【先行技術文献】
【特許文献】
【０００３】
【特許文献１】特開２００１−１４１８４５号公報
【発明の概要】
【発明が解決しようとする課題】
【０００４】
コンパクトディスクの代わりに、本（書籍）に時計を取り付けることが考えられる。本には前面だけでなく背面にも意匠が凝らされている場合があるため、時計を本に取り付ける際には前面及び背面の両方の美観を維持することが好ましい。しかしながら、特許文献１に記載された針部及び駆動部を本に取り付けると、駆動部が外部に露出する。一般的な駆動部は機械的な外観を有するため、本の背面の美観を損ねてしまうという問題があった。
【０００５】
そこで、本発明はこれらの点に鑑みてなされたものであり、本に取り付けることができ、美観に優れている時計を提供することを目的とする。
【課題を解決するための手段】
【０００６】
本発明の一態様に係る時計は、本の前面側に設けられる針部と、前記本の背面側に設けられ、前記本を貫通する穴を介して前記針部に接続され、時刻を示すように前記針部を回転させる時計部と、前記本の背面側において前記時計部を覆う蓋部と、一端が前記蓋部に固定されており、前記本が載置される面に他端が接する状態で前記蓋部を支持する支持部と、を備える。
【０００７】
前記蓋部は、前記時計部の側壁を挟持可能な内寸を有する凹部を含み、前記凹部内に前記時計部の少なくとも一部を収容することによって前記時計部を固定してもよい。
【０００８】
前記時計部は、前記本の背面側に形成されている収容部に収容され、前記蓋部は、前記本の前記収容部の内壁と前記時計部の側壁とに接することによって、前記本の前記収容部を覆うとともに、前記時計部を前記収容部内に固定してもよい。
【０００９】
前記支持部の長さは、前記支持部の前記一端が前記蓋部に固定されている位置と前記蓋部の下端との間の距離の２倍以上であってもよい。
【００１０】
前記支持部の長さは、前記支持部の長手方向において可変であってもよい。
【００１１】
前記支持部は、前記支持部が前記蓋部に固定されている位置を中心に回動可能な第１部材と、前記第１部材に対して摺動可能な第２部材とを含んでもよい。
【発明の効果】
【００１２】
本発明によれば、本に取り付けることができ、美観に優れている時計を提供できるという効果を奏する。
【図面の簡単な説明】
【００１３】
【図１】実施形態に係る時計の正面図及び背面図である。
【図２】実施形態に係る組み立てられる前の状態及び組み立てられた後の状態の時計の側面図である。
【図３】蓋部及び支持部の正面図である。
【図４】第１部材及び第２部材の正面図及び断面図である。
【図５】支持部の長さを説明するための模式図である。
【図６】変形例に係る組み立てられる前の状態及び組み立てられた後の状態の時計の側面図である。
【発明を実施するための形態】
【００１４】
（第１の実施形態）
図１は、本実施形態に係る時計Ｃの正面図及び背面図である。図１において、隠れている部分は破線で表されている。時計Ｃは、本Ｂと、針部１と、時計部２と、蓋部３と、支持部４とを有する。時計Ｃは、その他の部材を含んでもよい。
【００１５】
針部１は、本Ｂの前面Ｂ１側に設けられ、時刻を示す時針、分針及び秒針のうち少なくとも１つを含む針状の部材である。時計部２は、本Ｂの背面Ｂ２側に設けられ、時刻を示すように針部１の時針、分針及び秒針をそれぞれ回転させる駆動部である。
【００１６】
蓋部３は、本Ｂの背面Ｂ２側において、時計部２を覆う部材である。支持部４は、一端が蓋部３の固定位置Ｐに固定されており、他端が本Ｂの載置面（すなわち本Ｂが載置されている面）に接している状態で、蓋部３を支持する部材である。
【００１７】
図２（ａ）は、本実施形態に係る組み立てられる前の状態の時計Ｃの側面図である。図２（ａ）において、隠れている部分は破線で表されている。図２（ｂ）は、本実施形態に係る組み立てられた後の状態の時計Ｃの側面図である。
【００１８】
蓋部３は、時計部２を収容するための窪みである凹部３１を有する。凹部３１は時計部２の側壁２１を挟持可能な内寸を有しており、内部に時計部２の少なくとも一部を収容して挟持することによって、時計部２を固定する。すなわち、凹部３１の内壁が時計部２を挟む２つ以上の点で時計部２の側壁２１に接触することによって、凹部３１は時計部２を固定する。凹部３１は、時計部２の厚さ方向の全部を収容してもよく、一部を収容してもよい。
【００１９】
凹部３１の内壁のうち時計部２の側壁２１と接触する部分に、ゴム等の弾性部材が設けられてもよい。弾性部材が時計部２の形状に合わせて変形することにより、蓋部３は時計部２を容易に固定できる。
【００２０】
本Ｂには、本Ｂを貫通する穴Ｂ３と、時計部２を収容するための窪みである収容部Ｂ４とが形成されている。穴Ｂ３は、前面Ｂ１及び収容部Ｂ４において開口している。穴Ｂ３は、時計部２の接続部２２と針部１とを挿入可能な大きさを有するように、本Ｂを厚み方向に除去することによって形成される。時計部２の接続部２２は、穴Ｂ３を介して針部１に接続されることによって、時刻を示すように針部１を回転させる。
【００２１】
収容部Ｂ４は、時計部２及び蓋部３の少なくとも一部を収容可能な大きさを有するように、本Ｂを厚み方向に除去することによって形成される。収容部Ｂ４は、蓋部３の厚さ方向の全部を収容してもよく、一部を収容してもよい。蓋部３は、収容部Ｂ４の内壁と、収容部Ｂ４内に収容された時計部２の側壁２１とに接触することによって、収容部Ｂ４を覆うとともに、時計部２を収容部Ｂ４内に固定する。
【００２２】
蓋部３の外壁のうち本Ｂの収容部Ｂ４と接触する部分に、ゴム等の弾性部材が設けられてもよい。弾性部材が収容部Ｂ４の形状に合わせて変形することにより、蓋部３は収容部Ｂ４に容易に固定される。
【００２３】
支持部４は、支持部４が蓋部３に固定されている固定位置Ｐを中心に回動可能である。支持部４は、例えば固定位置Ｐにおいて支持部４及び蓋部３を貫通する穴に柱状の軸が挿入されることによって、回動可能に構成されている。別の方法として、支持部４は、例えば固定位置Ｐにおいて、支持部４に設けられた凹部及び凸部のうち一方と、蓋部３に設けられた凹部及び凸部のうち他方とが係合することによって、回動可能に構成されていてもよい。
【００２４】
図２（ａ）において、蓋部３の凹部３１内に時計部２を収容し、本Ｂの収容部Ｂ４内に時計部２及び蓋部３を収容し、時計部２の接続部２２に穴Ｂ３を介して針部１を接続することによって、図２（ｂ）に示す時計Ｃが得られる。このような時計Ｃは、蓋部３が時計部２及び収容部Ｂ４を覆っているため、本Ｂを背面側から見た場合であっても時計部２及び収容部Ｂ４が露出しておらず、美観に優れている。
【００２５】
図３は、蓋部３及び支持部４の正面図である。蓋部３及び支持部４の背面図は、図１に表されている。支持部４は、支持部４が蓋部３に固定されている固定位置Ｐを中心に回動可能な第１部材４１と、第１部材４１に対して摺動可能な第２部材４２とを含む。
【００２６】
図４（ａ）は、第１部材４１の正面図及び断面図である。図４（ａ）の断面図は、第１部材４１をα−α線から見た断面を表す。図４（ｂ）は、第２部材４２の正面図及び断面図である。図４（ｂ）の断面図は、第２部材４２をβ−β線から見た断面を表す。
【００２７】
第１部材４１は、長手方向に沿って複数の段４１１を表面に有している。それぞれの段４１１は第１部材４１の長手方向に対して垂直な方向に延在しており、それぞれの段４１１の断面は三角形状になっている。
【００２８】
第２部材４２は、１つの段４２１を表面に有している。段４２１は第２部材４２の長手方向に対して垂直な方向に延在しており、段４２１の断面は三角形状になっている。第２部材４２の段４２１が、第１部材４１の複数の段４１１のいずれかに係合することによって、支持部４の長さは長手方向において可変となっている。これにより、本Ｂの大きさや時計部２の位置が変わっても、支持部４の長さを調整することによって、支持部４は蓋部３を適当な位置に支持することができる。
【００２９】
図５は、支持部４の長さＬ１を説明するための模式図である。支持部４の長手方向の長さＬ１は、支持部４が蓋部３に固定されている固定位置Ｐと、蓋部３の下端との間の距離Ｌ２の２倍以上であることが好ましい。図５は、長さＬ１が長さＬ２の２倍である状態を表している。このように支持部４の長さが蓋部３の下端よりも十分に長いことによって、支持部４は、様々な大きさの本Ｂを、針部１が見やすい傾きになるように支持することができる。
【００３０】
［変形例］
図２（ａ）、図２（ｂ）に示した時計Ｃにおいて蓋部３は本Ｂの収容部Ｂ４内に収容されているが、蓋部３は本Ｂの外側に設けられてもよい。図６（ａ）は、本変形例に係る組み立てられる前の状態の時計Ｃの側面図である。図６（ａ）において、隠れている部分は破線で表されている。図６（ｂ）は、本変形例に係る組み立てられた後の状態の時計Ｃの側面図である。
【００３１】
本変形例では、本Ｂに収容部Ｂ４が設けられておらず、穴Ｂ３が設けられている。穴Ｂ３は、前面Ｂ１及び背面Ｂ２において開口している。図６（ａ）において、蓋部３の凹部３１内に時計部２を収容し、時計部２の接続部２２に穴Ｂ３を介して針部１を接続することによって、図６（ｂ）に示す時計Ｃが得られる。このような時計Ｃは、蓋部３が時計部２及び穴Ｂ３を覆っているため、本Ｂを背面側から見た場合であっても時計部２及び穴Ｂ３が露出しておらず、美観に優れている。
【００３２】
このように、時計Ｃを組み立てる際に蓋部３を本Ｂの収容部Ｂ４内に収容するか本Ｂの外部に設けるかを選択できるため、時計Ｃは様々な厚さの本Ｂを含むことができる。
【００３３】
［実施形態の効果］
本Ｂには、前面Ｂ１だけでなく背面Ｂ２にも意匠が凝らされている場合がある。本実施形態に係る時計Ｃによれば、蓋部３が時計部２を覆うとともに、本Ｂに形成された穴Ｂ３及び収容部Ｂ４を覆う。そのため、時計部２、穴Ｂ３及び収容部Ｂ４が露出せず、本Ｂの前面Ｂ１及び背面Ｂ２両方の意匠を活かして、美観に優れた時計Ｃを実現できる。
【００３４】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００３５】
Ｃ  時計
１  針部
２  時計部
２１  側壁
３  蓋部
３１  凹部
４  支持部
４１  第１部材
４２  第２部材
Ｂ  本
Ｂ１  前面
Ｂ２  背面
Ｂ３  穴
Ｂ４  収容部
【図１】
2020085576.tif 000003
【図２】
2020085576.tif 000004
【図３】
2020085576.tif 000005
【図４】
2020085576.tif 000006
【図５】
2020085576.tif 000007
【図６】
2020085576.tif 000008
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
本の表表紙側に設けられる針部と、
前記本の裏表紙側に設けられ、前記本を貫通する穴を介して前記針部に接続され、時刻を示すように前記針部を回転させる時計部と、
前記本の裏表紙側において前記時計部を覆う蓋部と、
一端が前記蓋部に固定されており、前記本が載置される面に他端が接する状態で前記蓋部を支持する支持部と、
を備え、
前記時計部は、前記本の表表紙に覆われているとともに、前記本の裏表紙側に形成されている収容部に収容されている、時計。
【請求項２】
前記蓋部は、前記時計部の側壁を挟持可能な内寸を有する凹部を含み、前記凹部内に前記時計部の少なくとも一部を収容することによって前記時計部を固定する、請求項１に記載の時計。
【請求項３】
前記蓋部は、前記本の前記収容部の内壁と前記時計部の側壁とに接することによって、前記本の前記収容部を覆うとともに、前記時計部を前記収容部内に固定する、請求項１又は２に記載の時計。
【請求項４】
前記支持部の長さは、前記支持部の前記一端が前記蓋部に固定されている位置と前記蓋部の下端との間の距離の２倍以上である、請求項１から３のいずれか一項に記載の時計。
【請求項５】
前記支持部の長さは、前記支持部の長手方向において可変である、請求項１から４のいずれか一項に記載の時計。
【請求項６】
前記支持部は、前記支持部が前記蓋部に固定されている位置を中心に回動可能な第１部材と、前記第１部材に対して摺動可能な第２部材とを含む、請求項５に記載の時計。